(57)【要約】      （修正有）【課題】重ねて持ち運ぶ際に、指への負担を少なくし、また、重なった標識コーンを脱落しにくくする標識コーンを提供する。【解決手段】ベース部１０と、ベース部に立設される中空錐状のコーン部とからなる標識コーンにおいて、係合部３０と被係合部４０とを設ける。係合部は、前記ベース部上面に２以上設けられ、前記コーン部の中心軸周りの所定方向に回転させたときに、前記ベース部上面より上において、先端側が回転方向を向くように突出する細長い棒体又は板体からなる係合片３１を有する。被係合部は、前記ベース部の前記各係合部が設けられる位置を前記中心軸回りに回転させた位置に上方から見て重なる位置に、前記各係合部ごとに対応して設けられ、前記標識コーンを他の前記標識コーン上に重ねた場合において、当該他の標識コーンの前記係合片が前記回転方向に回転することで、上方から見て当該係合片が先端側から重なり係合する上面を有する。【選択図】図３
0003163420.tif 000002
【実用新案登録請求の範囲】
【請求項１】
ベース部と、ベース部に立設される中空錐状のコーン部とからなる標識コーンにおいて、
前記ベース部上面に設けられる２以上の係合部であって、前記コーン部の中心軸周りの所定方向に回転させたときに、前記ベース部上面より上において、先端側が回転方向を向くように突出する細長い棒体又は板体からなる係合片と、当該係合片の基端側を前記ベース部上面に支持固定する脚部とからなる係合部と、
前記ベース部の前記各係合部が設けられる位置を前記中心軸回りに回転させた位置に上方から見て重なる位置に、前記各係合部ごとに対応して設けられる被係合部であって、前記標識コーンを他の前記標識コーン上に重ねた場合において、当該他の標識コーンの前記係合片が前記回転方向に回転することで、上方から見て当該係合片が先端側から重なり係合する上面又は上縁を有する被係合部と
を有する標識コーン。
【請求項２】
前記被係合部は、前記他の標識コーンの前記係合片の上面に当接して、前記コーン部内面と他の標識コーンのコーン部外面との間に隙間ができるように支持する下面を有する
請求項１に記載の標識コーン。
【請求項３】
前記コーン部の上端側近傍に溝が形成された請求項１又は２に記載の標識コーン。
【考案の詳細な説明】
【技術分野】
【０００１】
本考案は道路などに設置され、誘導標識などとして用いられる標識コーンに関し、特に、重ねて固定できる標識コーンに関する。
【背景技術】
【０００２】
標識コーンは、収納時、運搬時には複数の標識コーンを重ねておくことができる。このように重ねた標識コーンを持ち運ぶ場合、一般的な標識コーンでは、重ねた一番下に位置する標識コーンのベース部を持ち上げる必要がある。
これに対して、下記特許文献には、標識コーンのコーン部上端近傍に手を掛ける貫通孔を設けることが示されている。これにより、標識コーンを貫通孔の位置が一致するように重ねると、貫通孔部分ですべての標識コーンに手を掛けることができるので、腰をかがめることなく重ねた標識コーンを持ち上げることができる。
【先行技術文献】
【特許文献】
【０００３】
【特許文献１】特開2005-220650号公報
【考案の概要】
【考案が解決しようとする課題】
【０００４】
しかし、上記のように指で引っ掛けて重なったすべての標識コーンを持ち上げる場合、奥に位置する指先の負担が大きくなってしまい、指の疲労が過剰となったり、下方側に位置する標識コーンを脱落させたりする事態が生じかねない。
本考案は、このような問題に鑑みてなされたものであり、標識コーンを重ねて持ち運ぶ際に、指への負担を少なくし、また、重なった標識コーンを脱落しにくくすることを課題とする。
【課題を解決するための手段】
【０００５】
上記課題を解決するために、本考案は次のような構成を有する。
請求項１に記載の考案は、ベース部と、ベース部に立設される中空錐状のコーン部とからなる標識コーンにおいて、係合部と被係合部とを有する。係合部は、前記ベース部上面に２以上設けられ、前記コーン部の中心軸周りの所定方向に回転させたときに、前記ベース部上面より上において、先端側が回転方向を向くように突出する細長い棒体又は板体からなる係合片と、当該係合片の基端側を前記ベース部上面に支持固定する脚部とからなる。被係合部は、前記ベース部の前記各係合部が設けられる位置を前記中心軸回りに回転させた位置に上方から見て重なる位置に、前記各係合部ごとに対応して設けられ、前記標識コーンを他の前記標識コーン上に重ねた場合において、当該他の標識コーンの前記係合片が前記回転方向に回転することで、上方から見て当該係合片が先端側から重なり係合する上面又は上縁を有する。なお、上面・上縁とは、板体、線状体、ブロック体を構成する面や縁であって上方を向かうものを意味する。
請求項２に記載の考案は、前記標識コーンにおいて、前記被係合部は、前記他の標識コーンの前記係合片の上面に当接して、前記コーン部内面と他の標識コーンのコーン部外面との間に隙間ができるように支持する下面を有するものである。なお、下面は下方を向く面であり、ベース部の下面により構成される場合が含まれる。
請求項３に記載の考案は、前記標識コーンにおいて、前記コーン部の上端側近傍に溝が形成されたものである。
【考案の効果】
【０００６】
請求項１に記載の考案は、標識コーン同士を重ねて、所定方向に回転させると下側の標識コーンの係合部の係合片が、上側の標識コーンの被係合部の上面又は上縁に重なって係合する。同様の方法で、この上にさらに同じ用に標識コーンを重ねて係合部と被係合部とを係合させていくことができる。このように、本考案に係る標識コーンは、複数の標識コーンを重ねて互いに隣接する標識コーン同士を連結固定できるので、一番上に位置する標識コーンを持ち上げるだけで、特に指に負担をかけることなく、すべての標識コーンを持ち上げることができ、また、標識コーン同士が連結しているので、一部の標識コーンが脱落することを抑制することができる。
請求項２に記載の考案は、標識コーン同士が重なったときにコーン部同士が接触しないので、重なった状態から分離する際にコーン部同士が密着して張り付くことがなく、簡易に分離することができる。
請求項３に記載の考案は、コーン部の上端近傍に溝を設けることで、この溝に指を引っ掛けて持ち上げることができるので、重なった標識コーンをより持ちやすくすることができる
【図面の簡単な説明】
【０００７】
【図１】実施形態に係る標識コーンの斜視図である。
【図２】実施形態に係る標識コーンの平面図である。
【図３】（ａ）は図１のＡ−Ａ断面図であり、（ｂ）は図１のＢ−Ｂ断面図である。
【図４】係合状態を示すベース部の拡大断面図である。
【図５】（ａ）（ｂ）とも、被係合部の変形例を示す断面図である。
【考案を実施するための形態】
【０００８】
以下、本考案の実施の形態について、図面を参照しながら説明する。
図１に本実施形態に係る標識コーンXの斜視図を示し、図２に標識コーンＸの平面図を示し、図３(ａ)に図１のＡ−Ａ断面図を示し、図３（ｂ）に図１のＢ−Ｂ断面図を示す。なお、図３（ａ）は方向をＢ−Ｂ断面図に揃えるために回転させて表示している。標識コーンＸはベース部１０、コーン部２０、係合部３０、被係合部４０とから構成される。ベース部１０とコーン部２０は、一般的な標識コーンの構成とほぼ同じである。即ち、ベース部１０は平面視、角にアールが形成された正方形状の下方が開放した扁平な箱状体であり、中央に上面がリング状に封止された扁平な円筒部１１が形成されている。コーン部２０はベース部１０の円筒部１１のリング状上面の穴を塞ぐように立設される中空の円錐状体である。コーン部２０は、ここでは、上端面２１が平らに形成され、上端面２１近傍の側周に溝２２が設けられている。
【０００９】
係合部３０は、ベース部１０の円筒部１１の上面に、コーン部２０の中心軸に対称に２箇所設けられる。係合部３０は、細長い楕円状の板体からなる係合片３１と、係合片３１の基端を円筒部１１上面に支持固定する脚部３２とから構成される。係合片３１は前記コーン部２０の中心軸周りの所定方向に回転させると先端側が回転方向に向かうように設けられる。
【００１０】
被係合部４０は、ベース部１０の円筒部１１の上面の、係合部３０が設けられる位置を、コーン部２０の中心軸周りに９０度回転させた位置に設けられる。被係合部４０は、ベース部下面に設けられる断面Ｕ字上の溝を形成する受け部４１、受け部４１の上方に設けられるベース部１０表面を貫通する穴により構成される、係合状態を上方から視認するための窓４２、窓４２に隣接するベース部１０下面の一部である支持面４３とを有する。受け部４１は、前記コーン部２０の中心軸周りの所定方向に回転させると溝の後端側が回転方向に向かうように設けられる。また、受け部４１の先端側は開口４１ａが形成され、後端側は閉じられている。支持面４３は後述するように、被係合部４０に係合部３０の係合片３１が係合したときに、係合片３１の上面が当接するベース部の下面により構成される。
【００１１】
次に、以上のような構成を有する標識コーンＸの使用方法について説明する。使用者は、標識コーンＸを重ねて運搬する場合、まず、標識コーンＸ(1)の上に、別の標識コーンＸ(2)を重ね、上方の標識コーンＸ(2)を前記所定方向とは逆方向に回転させると、上方の標識コーンＸ(2)の被係合部４０の受け部４１の開口４１ａより、下方の標識コーンＸ(1)の係合部３０の係合片３１が先端から入って、受け部４１と係合片３１とが係合する。図４に係合状態を示す拡大断面図を示す。図に示すように、受け部４１の溝上面が、係合している係合片３１に重なりこれを支持しているので、上方の標識コーンＸ(2)を持ち上げると、下方の標識コーンＸ(1)も持ち上がることとなる。また、被係合部４０の支持面４３が、係合部３０の係合片３１の上面に当接する結果、上方の標識コーンＸ(2)は少しだけ持ち上がり、上方の標識コーンＸ(2)と下方の標識コーンＸ(1)とが完全に密着することが防がれる。この上方の標識コーンＸ(2)にも係合部３０が設けられているので、さらに上に標識コーンＸを重ね同様の操作によって固定することができる。このような操作により任意の数の標識コーンＸを重ねて連結固定したら、コーン部２０の上端面２１近傍の溝２２に指を掛けて、重なったすべての標識コーンＸを持ち上げて運搬することができる。なお、重ねた標識コーンＸから一番上の標識コーンＸを取り外すときは、一番上の標識コーンＸを所定方向に回転させることで、係合部３０と被係合部４０との係合を解くことができるので、そのまま上方に持ち上げればよい。
【００１２】
なお、上記実施形態では、係合片３１と係合する部分を溝を有する受け部４１としているが、被係合部は種々の構造を採用することができる。例えば、図５（ａ）に示すように、円形断面の半リング４５をベース部１０下面から下垂させるように固定したものでもよい。この場合は、リングの内部上縁が係合片３１に係合する。また、図５（ｂ）に示すように、ベース部１０の上面を被係合部とすることもできる。この場合は、被係合部を構成するベース部１０の上面に対して、前記コーン部２０中心軸周りの所定の回転方向とは逆側に隣接して、係合片３１が通る穴４６を設ける必要がある。係合に際しては、この穴４６に下側に位置する標識コーンＸの係合片３１を通し、その後、標識コーンＸを回転させて係合させる。このように、被係合部は、係合片３１を下方から支持する上面又は上縁を有し、係合片３１の回転移動によって係合できるように構成されていれば足りる。
また、上記実施形態では、係合部３０、被係合部４０を、ベース部１０の円筒部１１上面に設けたが、これらはコーンの中心軸を中心とする同心円上にあればよいので、ベース部１０の任意の位置に設けることができる。さらに、係合部３０、被係合部４０の数や位置などは適宜変更することが可能である。
【符号の説明】
【００１３】
Ｘ  標識コーン
１０  ベース部
１１  円筒部
２０  コーン部
２１  上端面
２２  溝
３０  係合部
３１  係合片
３２  脚部
４０  被係合部
４１  受け部
４２  窓部
４３  支持面
【図１】
0003163420.tif 000003
【図２】
0003163420.tif 000004
【図３】
0003163420.tif 000005
【図４】
0003163420.tif 000006
【図５】
0003163420.tif 000007